(57)【要約】      （修正有）【課題】室内に設置してバイオレットライトを日常の生活環境又は仕事環境下で受けることができるバイオレットライト装置及びシステムを提供する。【解決手段】３６０ｎｍ〜４００ｎｍのバイオレットライトの全て又は一部を発する光源２と、その光源２が取り付けられた筐体１とを備え、筐体１にはバイオレットライトを通過する開口窓１１が設けられている。この装置１０は、３６０ｎｍ〜４００ｎｍのバイオレットライトを室内に存在させることができる。開口窓１１が光拡散板又は光透過板であることが望ましく、生体との距離を計測する生体距離センサーを備えていることが望ましい。生体距離センサーで距離を計測し、生体が一定距離内に入ったときに光源２をオフ又はオンとし、生体が一定距離を超えたときに光源２をオン又はオフとするオンオフ機能を備えていてもよい。【選択図】図１
2020202907.tif 000002
【特許請求の範囲】
【請求項１】
３６０ｎｍ〜４００ｎｍのバイオレットライトの全て又は一部を少なくとも発する光源と、該光源が取り付けられた筐体とを備える、ことを特徴とする室内設置型バイオレットライト装置。
【請求項２】
前記筐体には前記バイオレットライトを通過又は透過する開口窓が設けられている、請求項１に記載の室内設置型バイオレットライト装置。
【請求項３】
前記透過窓が、光拡散板又は光透過板である、請求項１又は２に記載の室内設置型バイオレットライト装置。
【請求項４】
生体との距離を計測する生体距離センサーを備える、請求項１〜３のいずれか１項に記載の室内設置型バイオレットライト装置。
【請求項５】
生体が一定距離内に入ったときに前記光源をオフ又はオンとし、生体が一定距離を超えたときに前記光源をオン又はオフとするオンオフ機能を備える、請求項１〜４のいずれか１項に記載の室内設置型バイオレットライト装置。
【請求項６】
一定の距離内に不特定の人がいるか否かを検知する人認証センサー、又は、一定の距離内に特定の人がいるか否かを検知する個人認証センサー、を備える、請求項１〜５のいずれか１項に記載の室内設置型バイオレットライト装置。
【請求項７】
前記バイオレットライトの光センサー、前記バイオレットライトの光センサー、前記バイオレットライトの放射照度を制御する制御回路、及び携帯端末又はパーソナルコンピュータへのデータの送受信装置、から選ばれる１又は２以上を備える、請求項１〜６のいずれか１項に記載の室内設置型バイオレットライト装置。
【請求項８】
前記光源は、前記３６０ｎｍ〜４００ｎｍの範囲内の全ての波長の光を発光する、前記３６０ｎｍ〜４００ｎｍの範囲内の一部の波長の光を発光する、前記３６０ｎｍ〜４００ｎｍの範囲内にピークを有する光を発光する、又は、前記３６０ｎｍ〜４００ｎｍの範囲内でのみ発光し且つその範囲内にピークを有する、のいずれかである、請求項１〜７のいずれか１項に記載の室内設置型バイオレットライト装置。
【請求項９】
前記光源から発する光の放射照度が３０００μＷ／ｃｍ２以下である、請求項１〜８のいずれか１項に記載の室内設置型バイオレットライト装置。
【請求項１０】
請求項１〜９のいずれか１項に記載の室内設置型バイオレットライト装置を１又は２以上備え、さらに、前記室内設置型バイオレットライト装置の放射結果を送受信する送受信装置と、前記放射結果に基づいて前記室内設置型バイオレットライト装置の放射を制御する制御回路と、を備えることを特徴とするシステム。
【発明の詳細な説明】
【技術分野】
【０００１】
本発明は、室内設置型バイオレットライト装置及びシステムに関し、さらに詳しくは、室内に設置して使用することで、バイオレットライトを日常の生活環境下又は仕事環境下で受けることができるバイオレットライト装置及びシステムに関する。
【背景技術】
【０００２】
生活環境には様々な波長の光が存在している。そうした光は、人の身体や心に影響することが報告されている。例えば、非特許文献１では、太陽光を浴びることにより体内時計が改善されること等が報告されている。また、非特許文献２では、近年の生活環境に存在するＬＥＤ照明や、ＬＥＤをバックライトに使用した液晶ディスプレイ等から発する光が、身体や心に大きく影響することについて報告されている。
【０００３】
また、非特許文献３には、太陽光の下での屋外活動が近視の抑制に関係することが記載されている。また、特許文献１及び非特許文献４には、特定波長の光が近視予防に効果的であることが提案されている。こうした近視の発生を予防する手段や近視の進行を遅らせる手段は、近視の人口が依然として世界的に増えている近年、強く求められている。
【先行技術文献】
【非特許文献】
【０００４】
【非特許文献１】羽鳥  恵、坪田一男、アンチ・エイジング医学−日本抗加齢医学会雑誌、Vol.11、No.3、065(385)-072(392),（2015）.
【非特許文献２】坪田一男、「ブルーライト  体内時計への脅威」、集英社、２０１３年１１月２０日発行.
【非特許文献３】Ian  Morgan，Environmental  Health  Perspectives，Vol.122,No.1，Jan.,（2014）.
【非特許文献５】Hidemasa  Torii  et  al.,EBioMedicine,「DOI:  http://dx.doi.org/10.1016/j.ebiom.2016.12.007」.
【特許文献】
【０００５】
【特許文献１】ＷＯ２０１５／１８６７２３  Ａ１
【発明の概要】
【発明が解決しようとする課題】
【０００６】
本発明者は、非特許文献１、２に記載のように、光が身体や心に影響することを報告している。従来は、屋外では太陽光を受け、屋内では照明光を受けるといった単純な受光状態となっている。しかしながら、最近は、屋外での遊びや活動が減り、室内でのテレビゲーム等の遊びや活動が多く、屋外で太陽光を受ける時間が減少し、サーカディアンリズムの変調や睡眠障害等の種々の影響が懸念されている。
【０００７】
また、特許文献１及び非特許文献４に記載のように、本発明者はこれまで、近視の発症抑制と進行抑制について研究している過程で、太陽光が眼に入ることが近視の発症抑制と進行抑制の点で有効であり、さらに、太陽光に含まれる広範囲の波長の中でも３６０ｎｍ以上４００ｎｍ以下の波長帯の光（「バイオレットライト」という。）を眼球に照射することにより近視の発症抑制と進行抑制することができることを見出し、新規な近視予防物品について提案している（特許文献１を参照）。
【０００８】
こうした近年の生活環境や仕事環境の変化と、バイオレットライトが近視発症と近視進行を抑制する役割があるとの知見を踏まえ、コントロール可能なバイオレットライトを室内に容易に受けることができる装置があれば、バイオレットライトが基本的に存在しない室内あっても、不足するバイオレットライトを受けることができる。そして、近視予防等のバイオレットライトに基づく効果を与えることができる。
【０００９】
さらに本発明者の最近の研究では、バイオレットライトが生体や細胞に及ぼす種々の効果の存在を見いだしている。そのため、日常の生活環境や仕事環境下でバイオレットライトを人体又は人体組織が受ける量を容易にコントロールできれば、バイオレットライトを日常の生活環境又は仕事環境下で受けることができることになる。
【００１０】
本発明は、上記要請に応えて開発したものであって、その目的は、室内に設置して使用することで、バイオレットライトを日常の生活環境又は仕事環境下で受けることができるバイオレットライト装置及びシステムを提供することにある。
【課題を解決するための手段】
【００１１】
（１）本発明に係る室内設置型バイオレットライト装置は、３６０ｎｍ〜４００ｎｍのバイオレットライトの全て又は一部を少なくとも発する光源と、該光源が取り付けられた筐体とを備えることを特徴とする。この発明によれば、３６０ｎｍ〜４００ｎｍのバイオレットライトを室内に存在させることができるので、バイオレットライトが基本的に存在しない室内であっても、必要なバイオレットライトを身体が受けることができる。
【００１２】
本発明に係る室内設置型バイオレットライト装置において、前記筐体には前記バイオレットライトを通過又は透過する開口窓が設けられている。この発明によれば、開口窓から室内の広い範囲にバイオレットライトを放射することができる。
【００１３】
本発明に係る室内設置型バイオレットライト装置において、前記透過窓が、光拡散板又は光透過板である。この発明によれば、バイオレットライトを拡散又は透過することができる。特に透過窓を光拡散板で形成することにより、バイオレットライトを広い範囲に均等又は略均等に拡散させることができる。
【００１４】
本発明に係る室内設置型バイオレットライト装置において、生体との距離を計測する生体距離センサーを備える。この発明によれば、生体距離センサーで生体との距離を計測することにより、生体が受けたバイオレットライトの放射照度や累計の放射照度を計算できる。
【００１５】
本発明に係る室内設置型バイオレットライト装置において、生体が一定距離内に入ったときに前記光源をオフ又はオンとし、生体が一定距離を超えたときに前記光源をオン又はオフとするオンオフ機能を備える。この発明によれば、生体との距離に応じて光源をオンオフできるので、人が室内にいるときだけバイオレットライトを照射するように設定したり、バイオレットライトの放射照度との関係で、近づきすぎた場合に光源をオフに設定したりすることができる。
【００１６】
本発明に係る室内設置型バイオレットライト装置において、一定の距離内に不特定の人がいるか否かを検知する人認証センサー、又は、一定の距離内に特定の人がいるか否かを検知する個人認証センサー、を備える。この発明によれば、人認証センサーや個人認証センサーを備えるので、室内で特定の個人が使用する場合や家庭内等で複数の人が使用する場合に、室内設置型バイオレットライト装置の周辺に、だれが、どの程度の時間、どの位置にいるかをセンシングすることができる。
【００１７】
本発明に係る室内設置型バイオレットライト装置において、前記バイオレットライトの光センサー、前記バイオレットライトの放射照度を制御する制御回路、及び携帯端末又はパーソナルコンピュータへのデータの送受信装置、から選ばれる１又は２以上を備える。この発明によれば、光センサーにより、その環境にどの程度のバイオレットライトが存在するか又はどの程度のバイオレットライトを放射したかを測定できる。また、放射照度を制御する制御回路を備えるので、放射照度の強弱を制御できる。その結果、バイオレットライトの不足分を補うようにバイオレットライトを照射したり強度の強弱を制御したりすることができる。また、携帯端末又はパーソナルコンピュータへのデータの送受信装置を備えるので、例えばスマートフォン等の制御機器が有するアプリケーションプログラムで、室内設置型バイオレットライト装置が備える様々な機能を都度又は計画的に制御することができる。
【００１８】
本発明に係る室内設置型バイオレットライト装置において、前記光源は、前記３６０ｎｍ〜４００ｎｍの範囲内の全ての波長の光を発光する、前記３６０ｎｍ〜４００ｎｍの範囲内の一部の波長の光を発光する、前記３６０ｎｍ〜４００ｎｍの範囲内にピークを有する光を発光する、又は、前記３６０ｎｍ〜４００ｎｍの範囲内でのみ発光し且つその範囲内にピークを有する。
【００１９】
本発明に係る室内設置型バイオレットライト装置において、前記光源から発する光の放射照度が３０００μＷ／ｃｍ２以下である。
【００２０】
（２）本発明に係るシステムは、上記本発明に記載の室内設置型バイオレットライト装置を１又は２以上備え、さらに、前記室内設置型バイオレットライト装置から発するバイオレットライトの放射データを送受信する送受信装置と、前記放射データに基づいて前記室内設置型バイオレットライト装置の放射を制御する制御回路と、を備えることを特徴とする。
【発明の効果】
【００２１】
本発明によれば、室内に設置して使用することで、バイオレットライトを日常の生活環境又は仕事環境下で受けることができるバイオレットライト装置及びシステムを提供することができる。
【図面の簡単な説明】
【００２２】
【図１】本発明に係る室内設置型バイオレットライト装置の一例を示す斜視図である。
【図２】図１に示す室内設置型バイオレットライト装置の平面図（Ａ）と底面図（Ｂ）である。
【図３】図１に示す室内設置型バイオレットライト装置の右側面図（Ａ）と左側面図（Ｂ）である。
【図４】図１に示す室内設置型バイオレットライト装置の正面図（Ａ）と背面図（Ｂ）である。
【図５】生体距離センサーで生体と光源との距離を測定する態様を示す説明図である。
【図６】各種センサーの設置形態の一例を示す斜視図（Ａ）と、装置の断面形態の一例を示す断面図（Ｂ）である。
【図７】光源から発するバイオレットライトのスペクトルの例であり、（Ａ）は３６０ｎｍ〜４００ｎｍの範囲内の全ての波長の光を発光するスペクトル例であり、（Ｂ）は３６０ｎｍ〜４００ｎｍの範囲内の一部の波長の光を発光するスペクトル例である。
【図８】光源から発するバイオレットライトのスペクトルの他の例であり、（Ａ）は３６０ｎｍ〜４００ｎｍの範囲内にピークを有する光を発光するスペクトル例であり、（Ｂ）は３６０ｎｍ〜４００ｎｍの範囲内で発光し且つピークを有するスペクトル例である。
【図９】室内設置型バイオレットライト装置の他の形態例である。
【図１０】窓として光拡散部材又は光吸収部材が設けられた態様の例であり、（Ａ）は光拡散板の例であり、（Ｂ）は光透過板の例である。
【図１１】本発明に係るシステムの一例を示す模式図である。
【図１２】家の中でのバイオレットライト装置の設置態様の一例である。
【図１３】蛍光灯で照射された室内環境で測定された光のスペクトルの一例である。
【図１４】時間毎に受けたバイオレットライトのドーズ量、その累計、一日の合計・必要量・不足量・過剰量、直近一週間の不足量・過剰量、直近一ヶ月の不足量・過剰量等を表示した例である。
【図１５】室内設置型バイオレットライト装置の一例を示す外観写真である。
【発明を実施するための形態】
【００２３】
以下、本発明に係る室内設置型バイオレットライト装置及びシステムについて図面を参照しつつ説明する。本発明は、本願記載の要旨を含む限り以下の実施形態に限定されるものではなく、種々の態様に変形可能である。
【００２４】
本発明に係る室内設置型バイオレットライト装置１０（以下「バイオレットライト装置１０」という。）は、図１〜図４に示すように、３６０ｎｍ〜４００ｎｍの光（以下「バイオレットライト」という。）の全て又は一部を発する光源２と、その光源２が取り付けられた筐体１とを備え、筐体１にはバイオレットライトを通過する開口窓１１が設けられている。こうしたバイオレットライト装置１０は、３６０ｎｍ〜４００ｎｍのバイオレットライトを室内に存在させることができるので、バイオレットライトが基本的に存在しない室内でも、必要なバイオレットライトを身体が受けることができる。その結果、本発明に係るバイオレットライト装置１０を室内に設置して使用することで、バイオレットライトを日常の生活環境又は仕事環境下で受けることができる。
【００２５】
以下、各構成要素について説明する。
【００２６】
（光源）
光源２は、図１や図９に示すように、筐体１に取り付けられている。取付位置は特に限定されないが、図１に示すように筐体内部に取り付けられていてもよいし、図９（Ａ）に示すように筐体上面に取り付けられていてもよいし、図９（Ｂ）（Ｃ）に示すように筐体上面の凹みに取り付けられていてもよい。さらに、そうした筐体内部、筐体上面、筐体上面の凹み等に取り付ける光源２の具体的位置も特に限定されないが、例えば、光源が１つの場合には、光源２は、中央又は略中央に設けられていることが好ましく、光源２が２以上の場合は、図９（Ｃ）に示すように、対称位置となるように均等配置等されていることが好ましい。
【００２７】
光源２は、３６０ｎｍ〜４００ｎｍの光（バイオレットライト）の全て又は一部を発する。こうした光源２の具体例は特に限定されないが、図７及び図８に示すように、光源２は、３６０ｎｍ〜４００ｎｍの範囲内の全ての波長の光を発光するもの（図７（Ａ）参照）であってもよいし、３６０ｎｍ〜４００ｎｍの範囲内の一部（例えば３７０ｎｍ以上）の波長の光を発光するもの（図７（Ｂ）参照）であってもよいし、３６０ｎｍ〜４００ｎｍの範囲内にピーク（例えば３８０ｎｍのピーク）を有する光を発光するもの（図８（Ａ）参照）であってもよいし、３６０ｎｍ〜４００ｎｍの範囲内でのみ発光し且つピーク（例えば３７５ｎｍのピーク）を有するもの（図８（Ｂ）参照）であってもよい。なお、図７及び図８に示すスペクトルにおいて、３６０ｎｍ付近や４００ｎｍ付近で僅かに発光（例えば相対発光強度で１０％以下程度の発光）する裾部分が存在していてもよい。こうした裾野部分を含めると、例えば３６０ｎｍ未満となる裾野部分や、４００ｎｍを超える裾野部分を含むものであってもよい。具体的な光源２は特に限定されないが、例えば日亜化学株式会社製の「ＮＳＰＵ５１０ＣＳ」（砲弾型、ピーク波長３７５ｎｍ）や「ＮＶＳＵ１１９ＣＴ」（レンズ付き表面実装、高出力型）や、特定波長を発光するレーザーダイオードを挙げることができる。スペクトルデータは種々の装置や方法で測定でき、例えば、ＳｔｅｌｌａｒＮｅｔ社製のフィバーマルチチャンネル分光器「ＢＬＵＥ−Ｗａｖｅ」で測定することができる。
【００２８】
光源２は、分光放射照度がバイオレットライト波長域（３６０ｎｍ〜４００ｎｍ）の積分値で最大３０００μＷ／ｃｍ２の放射照度を可能とするものであればよい。好ましくは１０００μＷ／ｃｍ２以下の放射照度を可能とするものであればよく、より好ましくは３１０μＷ／ｃｍ２以下の放射照度を可能とするものであればよい。なお、３１０μＷ／ｃｍ２の放射照度のバイオレットライトを１日２時間浴びたとすると、１日あたりに眼が受ける光のドーズ量は２２，３２０Ｊ／ｍ２と計算される。ドーズ量（エネルギー量）（Ｊ／ｍ２）は、放射照度（Ｗ／ｍ２）×時間（秒）で表される。
【００２９】
バイオレットライトは、僅かにバイオレットライトを発光する白熱球やハロゲンランプ等が設置されている場合を除き、太陽光が当たらない室内には存在しない。本発明に係るバイオレットライト装置１０は、室内でバイオレットライトを発光させることができるので、不足するバイオレットライトを補うことができ、バイオレットライトによって例えば軸性近視の発症抑制と軸性近視の進行抑制等のバイオレットライトを要因とする効果を実現できる。
【００３０】
光源２は、広い角度で広い範囲に放射する非指向性の光源であることが好ましい。光をより広い角度で広い範囲に光拡散させるためには、図１０（Ａ）に示すように、開口窓１１を光拡散板１１ａとすることが好ましい。
【００３１】
光源２は、点滅するものであってもよい。点滅サイクルは特に限定されないが、例えば、０Ｈｚを超え、１５０Ｈｚ以下のような範囲を例示できる。光源２から発する光を点滅状態にすることで、本発明者らが研究しているバイオレットライトの他の効果、例えば認知症予防やアルツハイマー病等の効果に期待できる。
【００３２】
（筐体）
筐体１は、図１等に示すように、光源２が取り付けられ、室内に設置可能なバイオレットライト装置１０の外形を構成する部材である。筐体１の構造は特に限定されないが、図１等に示すように、光源２の取付部材としての下部材１ｂと、その下部材１ｂを覆う蓋部材としての上部材１ａとで構成された例を挙げることができる。筐体１の形状は、例えば図１等に示すような平面視で円形形状であることが好ましいが、それに限定されない。例えば、平面視で、略円形、楕円形、多角形（三角形、四角形、五角形、六角形、八角形等）や、球形、半球形等を挙げることができる。筐体１の色も特に限定されないが、室内設置型であることから、室内の色調に合わせた各種の色とすることができる。なお、白色系の色は、商品的観点でも好ましいし、光を吸収しにくいので好ましく採用される。筐体１の大きさも特に限定されないが、筐体が平面視で円形形状の場合は、例えば直径５ｃｍ〜１０ｃｍ程度とすることがインテリア性及び実用性の観点で好ましい。筐体１の材質も特に限定されないが、例えば加工性のよいステンレス鋼やプラスチック等を挙げることができる。
【００３３】
図１及び図１０に示すように、筐体１の内部に光源２が収容された形態で取り付けられているバイオレットライト装置１０では、筐体１の上面板１２に開口窓１１が設けられていることが好ましい。例えば筐体１が上部材１ａと下部材１ｂで構成されている場合、開口窓１１は、上部材１ａの上面に設けられている。この開口窓１１は、光源２から発したバイオレットライトを通過させる。開口窓１１が、図１０（Ａ）に示すような光拡散板１１ａである場合は、光の拡散で光透過率がやや低下するものの、光源２から発したバイオレットライトをその光拡散板１１ａで広い角度にほぼ均等に分散させることができる。開口窓１１が、図１０（Ｂ）に示すような光透過板１１ｂである場合は、光源２から発したバイオレットライトをその光透過板１１ｂで屈折透過させることができる、高い透過率で透過させることができる。光拡散板１１ａを採用する場合は、光透過率がやや低下するので、その光拡散板１１ａの性質を考慮して光源２から発するバイオレットライトの放射照度を上げるなどして調節すればよい。光拡散板１１ａの例としては、光学部材として公知の光拡散板、光拡散シート等を任意に選択して採用することができる。また、光透過板１１ｂの例も、光学部材として公知の光透過板、光透過シート等を任意に選択して採用することができる。図２中の符号１２ａは、上面板１２の内周縁のテーパー面のことである。このテーパー面１２ａにより、筐体１の内部に取り付けられた光源２から発したバイオレットライトを放射しやすくすることができる。
【００３４】
筐体１の下部材１ｂには、図１及び図６（Ｂ）等に示すように、光源２が取り付けられている。その光源２の周囲である筐体内の底面板１３は、反射材又は光拡散材を備えていることが好ましい。その底面板１３が反射材である場合は、光源２から発したバイオレットライトをその反射材で反射させて開口窓側に向かわせることができ、多くのバイオレットライトを開口窓１１から放射することができる。その底面板１３が光拡散材である場合は、光源２から発したバイオレットライトをその光拡散材で光拡散させることができ、多くのバイオレットライトを開口窓１１から広い角度に放射することができる。光反射材や光拡散材は、光拡散材の例としては、光学部材として公知の光拡散板、光拡散シート等を任意に選択して採用することができる。また、光透過板１１ｂの例も、光学部材として公知の光透過板、光透過シート等を任意に選択して採用することができる。
【００３５】
なお、図６において、符号１ｃは、筐体１の側部材であり、図示した筐体１の例は、上部材１ａ、下部材１ｂ、側部材１ｃで構成されている。また、符号１３ａは、光源が取り付けられている底面板１３の凹部１３ａである。図１５は、実際に作製した室内設置型バイオレットライト装置１０の一例を示す外観写真である。
【００３６】
（設置態様）
バイオレットライト装置１０は、家庭又は職場の室内に設置される。設置態様は、図５及び図１２に示すように、テーブル４１やデスクの上に載せたり取り付けたりする態様、壁、天井、パーティション等に掛けたり取り付けたりする態様、車両内に載置したり取り付けたりする態様等を挙げることができる。家庭内での設置態様としては、図１２に示すように、設置箇所は１箇所であってもよいし、複数の部屋に設置してもよい。また、テーブルや机の上、壁や天井等に設置してもよい。なお、図１３は、蛍光灯で照射された室内環境で測定された光のスペクトルの一例である。このように、室内の照明機器である蛍光灯からは、バイオレットライトが放射されないのがわかる
【００３７】
（センサー、制御回路等）
バイオレットライト装置１０には、各種センサーが設けられていることが好ましい。センサーとしては、生体距離センサー、人認証センサー、個人認証センサー、光センサー等を挙げることができるが、これら以外のセンサーも必要に応じて設けてもよい。センサーの設置位置は、そのセンサーの目的に応じて最適な箇所に設置される。例えばバイオレットライト装置１０が円形形状の場合は、センサーはその外周を３等分又は４等分（図６（Ａ）参照）した位置の外縁に設けられていることが好ましい。
【００３８】
生体距離センサーは、生体との距離を計測するセンサーである。この生体距離センサーにより、例えば図５に示すように、光源２と人との距離を測定することができる。図５中、符号Ａの位置に人がいる場合は距離ＬＡを計測でき、符号Ｂの位置に人がいる場合は距離ＬＢを計測でき、符号Ｃの位置に人がいる場合は距離ＬＣを計測できる。生体距離センサーは特に限定されないが、市販の赤外線距離センサーや超音波距離センサーを好ましく適用することができる。
【００３９】
光源２から発するバイオレットライトの強度は光源２からの距離の２乗に反比例するので、光源２から発光するバイオレットライトの強度と、計測された距離とにより、計測された位置にいる人がどの程度の放射照度をどの程度の時間受けているかを算出できる。生体距離センサーは、室内での人の移動にも追従できるので、その人が室内で場所を変えた場合であっても、また室内を移動中であっても、バイオレットライトの強度と位置とを計測すれば逐次算出できる。その算出結果を、バイオレットライト装置１０が備える送受信装置６でスマートフォンやタブレット端末等に送信することで、その人がどの程度の放射照度のバイオレットライトをどの程度の時間受けているかを計算できる。その計算結果を例えばスマートフォンのアプリケーションプログラムでデータ管理すれば、その人が受けるべきバイオレットライトが足りているか不足しているかにより、光源２のオンオフ制御を行ったり、光源２のパワーアップやパワーダウンを行ったりして、放射照度を調整することができる。
【００４０】
また、バイオレットライト装置１０はオンオフ機能を有していてもよい。例えば、装置１０への接近については、装置１０に対して人が一定距離（例えば図５の距離ＬＣ）より近づいたときに光源２をオフとし、その一定距離ＬＣを超えたときにオンにすることもできる。また、装置１０から遠ざかる場合については、装置１０に対して人が一定距離（例えば図５の距離ＬＢ）より遠ざかるときに光源２をオフとし、その一定距離ＬＢの内側に入ったときにオンにすることもできる。このような制御は、生体距離センサーと光源２のオンオフ機能とで実現することができる。光源２のオンオフは、筐体１内に光源２のオンオフ装置を設置し、そのオンオフ装置を例えばスマートフォンのアプリケーションプログラムで制御して行うことができる。
【００４１】
人認証センサーは、一定の距離内に不特定の人がいるか否かを検知するセンサーである。このセンサーは、個体認証を行わないので、赤外線距離センサーや超音波距離センサーを採用することができる。これらセンサーは、上記した生体距離センサーと同じなので、それらを共用することができる。
【００４２】
個人認証センサーは、一定の距離内に特定の人がいるか否かを検知するセンサーである。こうしたセンサーとしては、例えば市販又は開発中の顔認証センサーが好ましく採用される。顔認証センサーにより、バイオレットライト装置１０の近くに誰がいるかを特定できるので、室内に複数の人がいる場合であっても、その特定の人がバイオレットライトをどの程度受けているかを計算して、必要量のバイオレットライトを照射することができる。なお、図１２に示すように、家の中の部屋毎にバイオレットライト装置１０を置いた場合には、複数の部屋で受けるバイオレットライトの照射量をカウントして、その人がいる部屋のバイオレットライト装置１０を作動させてバイオレットライトを照射することができる。
【００４３】
光センサーは、バイオレットライトを計測するセンサーである。この光センサーは、使用者が備えていてもよいし、バイオレットライト装置１０の筐体１の上部材１ａに設けられていてもよい。光センサーを使用者が備える場合は、光センサーを胸ポケットやネームタッグに取り付けておけば、その人がどの程度のバイオレットライトを受けたかを計測することができる。また、めがねをかける人の場合は、光センサーを取り付けためがねを使用することにより、その人がどの程度のバイオレットライトを受けたかを計測することができる。そして、その結果を携帯端末等に送信すれば、携帯端末等が有するアプリケーションプログラムで、光源２のオンオフや強度をコントロールして、その人が受けるバイオレットライトの放射照度を調整できる。一方、光センサーを筐体１の上部材１ａに設けた場合は、バイオレットライトをオフにしてその室内に存在するバイオレットライトの光を測定することができる。通常、室内にはバイオレットライトが存在しないが、室内の照明機器によっては存在する場合もある。そうした場合に、光源２から発するバイオレットライトを、室内に予め存在するバイオレットライトの光を考慮して調整することができる。
【００４４】
（システム）
システム３１は、図１１に示すように、バイオレットライト装置１０と、携帯端末やパーソナルコンピュータ等の制御機器２１とで構成されている。バイオレットライト装置１０は、図１１に示すように、光源２、筐体１、センサー３，４の他に、制御回路７や送受信装置６等を備えている。制御回路７は、送受信装置６を搭載した回路基板として筐体１内に設けられている（図６（Ｂ）参照）。この制御回路７は、必要に応じて、上記した各種センサーのオンオフ制御、光源２のオンオフ制御、バイオレットライトの放射照度の強弱制御等を行うことができる。
【００４５】
送受信装置６は、バイオレットライト装置１０内に設けられ、例えば制御回路７に搭載されている。この送受信装置６は、制御機器２１からの制御信号を受信する。受信した制御信号は、制御回路７を駆動して、光源２やセンサー３，４の制御を行う。また、送受信装置６は、センサー３，４で検知した信号を制御機器２１に送信する。なお、バイオレットライト装置１０の電源は、バッテリーであってもよいし、ＡＣＤＣ電源であってもよい。
【００４６】
制御機器２１は、アプリケーションプログラムを有する携帯端末やパーソナルコンピュータ等の制御機器である。この制御機器２１は、表示部２２、操作部２３、制御部（アプリケーションプログラム）２４、送受信装置２５等を備えている。制御機器２１がスマートフォンやタブレット端末の場合は表示部２２と操作部２３とはディスプレイの表示上に一体化しているが、パーソナルコンピュータのようにディスプレイとキーボードに分かれていてもよい。送受信装置２５は、バイオレットライト装置１０から送信された信号を受信し、その受信データに応じたアクションを起こす。そのアクションはアプリケーションプログラム２４で制御される。
【００４７】
例えば、バイオレットライト装置１０からは、光源２の放射照度情報、光源２のオンオフ情報、センサー３，４のセンシング情報等が送信され、送信された情報を制御機器２１の送受信装置２５が受信する。受信した情報は、アプリケーションプログラム２４で解析され、必要に応じて表示・記憶し、さらに送受信装置２５からバイオレットライト装置１０に送信して、バイオレットライト装置１０が備える光源２やセンサー３，４を制御する。その制御としては、各種センサーのオンオフ制御、光源２のオンオフ制御、バイオレットライトの放射照度の強弱制御等を挙げることができる。図１２に示すように、バイオレットライト装置１０が複数設置されている場合には、それぞれのバイオレットライト装置１０からの送信信号が制御機器２１の送受信装置２５に送られる。その情報をもとに、必要な強度と時間で、バイオレットライト装置１０の光源２が発光し、バイオレットライトが使用者に照射される。
【００４８】
図１４は、時間毎に受けたバイオレットライトのドーズ量（＝放射照度×時間）のデータ、その累計データ、一日の合計・必要量・不足量・過剰量、直近一週間の不足量・過剰量、直近一ヶ月の不足量・過剰量等を表示した例である。なお、この表示例は特に限定されず、アプリケーションプログラム２４により、必要な情報表示を任意に設定して表示することができる。図１４の例に示すように、就寝時は室内でバイオレットライトは存在しないが、朝になってバイオレットライト装置１０を駆動させることでバイオレットライトを発光させて、受ける放射照度が増加し、通勤時間には屋外でバイオレットライトを受けることがわかる。その後、職場にバイオレットライト装置１０を設置していることにより、バイオレットライトが存在しない職場内でも自分のデスクに自分専用のバイオレットライト装置１０を設置しておけば、必要量のバイオレットライトを受けることができる。アプリケーションプログラム２４によるこうした表示により、一日単位、一週間単位、一ヶ月単位でのバイオレットライトの放射照度を集計することができる。
【符号の説明】
【００４９】
１０  室内設置型バイオレットライト装置
１  筐体
１ａ  上部材
１ｂ  下部材
１ｃ  側部材
２  光源
３（３ａ，３ｂ，３ｃ，３ｄ）  認証センサー又は生体距離センサー
４  光センサー
５  放射照度の制御回路
６  送受信装置
７  制御回路（回路基板）
８  電源入力部
９  脚（ゴム状突起）
１１  開口窓
１１ａ  光拡散板
１１ｂ  光透過板
１２  筐体の上面板
１２ａ  テーパー面
１３  筐体内の底面板
１３ａ  底面板の凹部
２１  制御機器（携帯端末、パソコン等）
２２  表示部
２３  操作部
２４  制御部（アプリケーションプログラム）
２５  送受信装置
３１  システム
４１  テーブル
ＬＡ，ＬＢ，ＬＣ  距離
Ａ，Ｂ，Ｃ  人の位置
ＶＬ，ＶＬ１，ＶＬ２  バイオレットライト
【図１】
2020202907.tif 000003
【図２】
2020202907.tif 000004
【図３】
2020202907.tif 000005
【図４】
2020202907.tif 000006
【図５】
2020202907.tif 000007
【図６】
2020202907.tif 000008
【図７】
2020202907.tif 000009
【図８】
2020202907.tif 000010
【図９】
2020202907.tif 000011
【図１０】
2020202907.tif 000012
【図１１】
2020202907.tif 000013
【図１２】
2020202907.tif 000014
【図１３】
2020202907.tif 000015
【図１４】
2020202907.tif 000016
【図１５】
2020202907.tif 000017